(57)【要約】  【課題】  従来製品では回避し得なかった塑性変形その他の問題を解決する新規な構成のワンタッチ開閉タイプのルースリーフ綴具を提供することである。  【解決手段】  回転軸１２の一端に取り付けたバネ手段３０が回転軸１２を矢印Ｂ方向に偏倚し、第２半綴環の付け根部分の一部が、細長基板１０の側部開口２０に形成した係止スロット２８に係入して第２半綴環２４の閉鎖位置を規制すると共に第２半綴環２４が開成しないように拘束する。第２半綴環２４の何れかあるいは両方の一部を指その他で図１及び２の矢印Ｂと反対方向に、バネ手段３０の圧縮バネ力に抗して押すと回転軸１２が軸方向に移動し、第２半綴環２４の先端部の相互係合手段３０が、第１半綴環１４の相互係合手段３２から軸方向に離間し、結局、何らの捻れを生ずることなく両者は脱係合する。【選択図】  図３
2006044048.tif 000002
【特許請求の範囲】
【請求項１】
長手方向の一方の側部に沿って１本以上の第１半綴環（１４）を一体に固設し、底部開口（１８）及び側部開口（２０）を有する管状の内側軸受溝（２２）を有する隆起部（１６）を他方の側部に沿って設けた細長基板（１０）と、内側軸受溝（２２）に配置した回転軸（１２）にして、前記各第１半綴環（１４）と対をなし且つ係脱自在の、前記側部開口（２０）を貫いて伸延する第２半綴環（２４）を一体に固設した回転軸と、を含み、前記側部開口（２０）が前記第２半綴環（２４）の一部を軸方向に係脱自在の係止スロット（２８）を有し、該係止スロット（２８）が、第２半綴環（２４）を、第１半綴環（１４）と係脱する際の該第２半綴環の回転方向及び軸方向の各偏倚を許容する閉鎖位置に規制し、第１半綴環（１４）及び第２半綴環（２４）が、各先端位置に相互係合手段（３２）及び（３４）を有し、第２半綴環（２４）が前記側部開口（２０）内で軸方向に移動して前記相互係合手段（３２）及び（３４）を介して第１半綴環（１４）と係合自在であり、回転軸（１２）が、軸方向に移動自在であり且つ、該回転軸の一方の端部位置に取り付けた単一のバネ手段（３０）により、前記第２半綴環（２４）を開成させる回転方向及び前記第１半綴環に接近させる軸方向に常偏倚されるようにしたルースリーフ綴具。
【請求項２】
係止スロット（２８）と係脱自在の第２半綴環（２４）の一部が該第２半綴環（２４）の付け根部分であり、該付け根部分が、第２半綴環が第１半綴環（１４）と係合する前に係止スロット（２８）に係入し、第２半綴環（２４）が第１半綴環（１４）から脱係合した後で係止スロット（２８）から脱係合する請求項１のルースリーフ綴具。
【請求項３】
係止スロット（２８）に軸方向に係脱する第２半綴環（２４）の一部が、該第２半綴環に一体形成した係入突起（３８）である請求項１のルースリーフ綴具。
【請求項４】
バネ手段（３０）が、第２半綴環（２４）が開成し且つ第１半綴環（１４）及び第２半綴環（２４）の各先端部位置の相互係合手段（３２）及び（３４）が相互に係合する方向において回転軸（１２）を回転方向及び軸方向に常偏倚する請求項１のルースリーフ綴具。
【請求項５】
バネ手段（３０）が、一端を回転軸（１２）に係止し、他端を細長基板（１０）に係止し、回転軸（１２）の一部を内側部分に挿通した螺旋バネである請求項４のルースリーフ綴具。
【請求項６】
第１半綴環（１４）及び第２半綴環（２４）の各先端部位置の相互係合手段（３２）及び（３４）の一方は鈎状の突起であり、他方は該鈎状の突起と係脱自在の凹部である請求項１あるいは４の何れかのルースリーフ綴具。
【請求項７】
回転軸を２分割し、各回転軸の一方の端部に夫々バネ手段を取り付けた請求項１のルースリーフ綴具。
【発明の詳細な説明】
【技術分野】
【０００１】
本発明は綴環リング状の綴環を有するルースリーフ綴具（綴環リング式バインダ）に関し、特に綴環を開閉するための指掛け機構等を持たず、綴環部分を指等の手段を使用して直接的に操作することにより開放及び閉鎖するワンタッチ開閉タイプのルースリーフ綴具に関する。
【背景技術】
【０００２】
従来の綴環リング式バインダには各種のものが知られており、典型的なものとしては、（１）互いに突き合わせ可能な先端を有する複数対の半綴環を、左右に並べて配置した細長の可動基板の外縁部に沿って一体に固設し、両可動基板の内縁を拘束する状態で衝合させ、両可動基板の外縁を金属製でしかも弾性を有するさや等で拘束し、両可動基板の一端部又は両端部に「てこ」の原理を利用した操作部を設け、両可動基板を外縁を支点として上下動させるもの、（２）一個の固定基板の一縁部又は両縁部に沿って回転軸を設け、この回転軸に複数対の半綴環を一体に固設し、回転軸を回転させる手段により各対の綴環を相互に開閉するようにしたもの、また、（３）固定基板と可動基板上に、端部どうしを衝合させることのできる半綴環を複数設け、固定基板に対して可動基板をスライド作動可能としたもの等が知られている。
【０００３】
これら各形式の綴具はいずれも各綴環を開閉させるために別個の指掛け操作部及び機構が必要である。例えば（１）の形式のものでは綴環の開放状態及び閉鎖状態を維持するための弾性のさや及びてこ操作部が必須であり、（２）の形式では回転軸を回転させるための指掛け操作手段と、綴環の閉鎖状態を維持するための指掛け部をロックする機構とが必要であり、（３）の形式の場合は両基板を相対的にスライド移動させるための特殊な案内機構及び指掛け操作部と、更には、閉鎖状態を維持するためのロック機構も必要となる。
【０００４】
指掛け操作部分を持つ従来のこうした綴具は、バインダ表紙の背部又はその近傍に取り付ける場合、表紙の外部から操作がし易いようにするため、指掛け操作部がバインダ表紙の縁部に近くなるような位置に取り付ける必要があり、綴具の取付け位置に関する制約がどうしても生じてしまう。
【０００５】
このような指掛け操作部を持たない綴環式綴具としては、特許第２８１４９５７号（特許文献１）や特開２００３−３４１２７３号（特許文献２）に説明されるようなものが知られている。これらの形式の綴具では綴環を直接手で開閉することが可能となっており、またバインダ表紙の端部に位置付ける必要のある指掛け操作部等を持たないために、バインダ表紙の縁部以外の任意の個所にも自由に取り付けることが出来、バインダのデザインや用途あるいは機能上の有益性が大きい。
【０００６】
特許文献１に記載された綴具は、固定基板の両側縁に各１つ、計２つの回動基板をそれぞれの回転軸にて枢着し、両回動基板に２対の半綴環を固設し、両回動基板の内側縁が前記固定基板の上面に近接させると前記各対の半綴環が閉じ、両回動基板の内側縁を前記固定基板の上面から離反させると前記半綴環対が開くように構成され、前記回転基板はばねにより常時離反する方向に偏倚されており、両回動基板の一方にはピンを設け、他方にはこのピンを案内するための、両端が閉じたスロットを設け、綴環が開くとスロット端部がピンに係止してこの開成状態を維持するようにし、前記各対の半綴環には係止凹部とこの係止凹部に係止する係止突起を設け、綴環を閉じると前記係止凹部と係止突部とが係合することでこの閉鎖状態が維持されるようになっている。綴具の開閉は、開く場合は指により半綴環を直接操作して行うが、閉じるのは一方の回動基板を他方の基板に押し込む形で行う。この構造の綴具では、上記（１）〜（３）の従来例のものとは異なり、指掛け操作部に基づく取付け場所に関する制約が事実上無くなるために、バインダ表紙の任意の個所に取り付けることが可能になるという利点がある。
【０００７】
一方、特許文献２に記載された綴具は、上記特許文献１の発明と同様な構造のものの他に、他の形態のものとして、固定基板の一側縁に沿って２本の半綴環を固設し、固定基板の他側縁に１つの回動基板を回転軸を介して枢着し、この回動基板に前記固定基板側の半綴環に各離接可能な２本の半綴環を固設し、回動基板の内側縁が下方に回動すると両基板の半綴環が互いに閉じ、回動基板の内側縁が上方に回動すると前記半綴環が開くように構成したものを含んでいる。
【０００８】
この形態のものでは、回転基板は半綴環が開く方向に回動するように板ばねにより常偏倚されているため、綴環が開くと板ばねの復元位置により綴環の開成状態が規制される。前記各対の半綴環には係止凹部と、この係止凹部に係止する係止突起とが設けられ、綴環を閉じると前記係止凹部と係止突部とが係合して閉成状態が維持されるようになっている。綴具の開閉は、可動基板の半綴環を指で捻り、これらの半綴環を脱係合させる方向に撓ませることで前記係合を外し、その後は前記板ばねの偏倚力にて強制的に開成させ、また閉じる場合はこれらの半綴環の各対の何れかあるいは両方を指で相互に引き寄せ、次いで半綴環自体の捻り及び弾性復元力をも利用して弾発的に係合させると共に、この係合を維持させることにより行う。
【０００９】
【特許文献１】特許第２８１４９５７号公報
【特許文献２】特開２００３−３４１２７３号公報
【発明の開示】
【発明が解決しようとする課題】
【００１０】
特許文献１、２に記載されたような綴具には改良が望まれる欠点がなおある。例えば、綴環の開放位置は可動基板が上方に大きく移動した位置にあり、ばねへの負荷がほぼ緩和されているので、ルースリーフ差し替えに際して各綴環に加わる外力により可動基板及び綴環が縦揺れし易く、差し替え作業がしにくいことであり、また、２対の半綴環どうしを整列及び衝合させた状態では、可動基板にはばねによる綴環を開放する方向での力が常に作用しており、しかも各綴環対は綴環自体の弾性力のみにより相互に係合していることから、半綴環どうしの係合が外力等によるわずかな衝撃でも外れやすいという問題もある。更には、綴環の開放時に可動基板の内側縁が大きく上方へ移動することから、綴環が開放した状態でルースリーフを綴じ込む際にこれらの内側縁が干渉し、従って挿脱作業がしにくく、また内側縁の間にルースリーフや異物が挟まりやすい。
【００１１】
加えて、上述した如き構成のルースリーフ綴具では半綴環どうしを開成させる場合は必ず一方あるいは両方の半綴環を撓ませる必要があるが、指でこの作業を行うと必要以上の力を加えてしまうことが多く、その繰り返しで半綴環が塑性変形しやすくなる。この場合、上記の如く半綴環どうしの係合が半綴環の弾性力のみに依存していることから、僅かな変形でも係合状態への影響が大きく、開閉頻度によってはそうした塑性変形が早期に発生し、製品寿命が短くなることもある。従って、解決しようとする課題は、上述したような問題を解決する新規な構成のワンタッチ開閉タイプのルースリーフ綴具を提供することである。
【課題を解決するための手段】
【００１２】
上記の如き問題点は下記構成の本発明により解決される。即ち、本発明によれば、長手方向の一方の側部に沿って１本以上の第１半綴環（１４）を一体に固設し、底部開口（１８）及び側部開口（２０）を有する管状の内側軸受溝（２２）を有する隆起部（１６）を他方の側部に沿って設けた細長基板（１０）と、内側軸受溝（２２）に配置した回転軸（１２）にして、前記各第１半綴環（１４）と対をなし且つ係脱自在の、前記側部開口（２０）を貫いて伸延する第２半綴環（２４）を一体に固設した回転軸と、を含み、前記側部開口（２０）が前記第２半綴環（２４）の一部を軸方向に係脱自在の係止スロット（２８）を有し、該係止スロット（２８）が、第２半綴環（２４）を、第１半綴環（１４）と係脱する際の該第２半綴環の回転方向及び軸方向の各偏倚を許容する閉鎖位置に規制し、第１半綴環（１４）及び第２半綴環（２４）が、各先端位置に相互係合手段（３２）及び（３４）を有し、第２半綴環（２４）が前記側部開口（２０）内で軸方向に移動して前記相互係合手段（３２）及び（３４）を介して第１半綴環（１４）と係合自在であり、回転軸（１２）が、軸方向に移動自在であり且つ、該回転軸の一方の端部位置に取り付けた単一のバネ手段（３０）により、前記第２半綴環（２４）を開成させる回転方向及び前記第１半綴環に接近させる軸方向に常偏倚されるようにしたルーズリーフ綴具が提供される。
【００１３】
本発明の好ましい実施例では、係止スロット（２８）と係脱自在の第２半綴環（２４）の一部が該第２半綴環（２４）の付け根部分とされ、この付け根部分が、第２半綴環が第１半綴環（１０）と係合する前に係止スロット（２８）に係入し、第２半綴環（２４）が第１半綴環（１０）から脱係合した後で係止スロット（２８）から脱係合するようにされる。
【００１４】
他の実施例では、係止スロット（２８）に軸方向に係脱する第２半綴環（２４）の一部が、該第２半綴環に一体形成した係入突起（３８）とされる。
更に他の実施例では、バネ手段（３０）が、第２半綴環（２４）が開成し且つ第１半綴環（１０）及び第２半綴環（２４）の各先端部位置の相互係合手段（３２）及び（３４）が相互に係合する方向において回転軸（１２）を回転方向及び軸方向に常偏倚するようにされる。
【００１５】
他の実施例ではバネ手段（３０）が、一端を回転軸（１２）に係止し、他端を細長基板（１０）に係止し、回転軸（１２）の一部を内側部分に挿通した螺旋バネとされる。
【００１６】
また、他の実施例では第１半綴環（１４）及び第２半綴環（２４）の各先端部位置の相互係合手段（３２）及び（３４）の一方は鈎状の突起であり、他方は該鈎状の突起と係脱自在の凹部とされる。
更に他の実施例では、回転軸が２分割され、各回転軸の一方の端部に夫々バネ手段が取り付けられる。
【発明を実施するための最良の形態】
【００１７】
図１〜図４を参照して本発明の好ましい実施例におけるルースリーフ綴具の構造及び動作を説明する。
図１は２対の半綴環が閉鎖して綴環リングを形成した状態での本発明のルースリーフ綴具の斜視図、図２は図１を矢印Ａ方向から見た側面図、図３は半綴環が開成した状態での本発明のルースリーフ綴具の平面、図４は同底面図である。
【００１８】
図１には本発明のルースリーフ綴具が全体を番号１００で示されている。ルースリーフ綴具１００は単一の細長基板１０と、この細長基板１０と組み合わせる軸部材、即ち回転軸１２とから構成される。細長基板１０は、図１に示すようにその長手方向の一方の側部に沿って１本以上の第１半綴環１４が一体に固設され、また番号１６で示すような隆起部が他方の側部に沿って形成される。この隆起部１６には、図２及び図４に示すような底部開口１８及び側部開口２０を形成した管状の内側軸受溝２２が設けられる。隆起部１６の側部開口２０は各第１半綴環１４に相当する側部位置に形成され、内側軸受溝２２の内部には、前記各第１半綴環１４と対をなし、またこれら第１半綴環１４と係脱自在の第２半綴環２４を一体に固設した前記回転軸１２が回転自在に無理嵌めされる。一方、内側軸受溝２２には、回転軸１２を回転自在に無理嵌め可能とするための、例えば図４に番号２６で示すような張り出し部が適宜の位置に形成される。
【００１９】
回転軸１２に固設した各第２半綴環２４は、側部開口２０を貫いて伸延し且つ各第１半綴環１４と端部位置で係合し得るような位置に形成され、側部開口２０には以下に説明するように第２半綴環２４を閉鎖位置に規制する係止スロット２８が形成される。係止スロット２８は、図３に最も良く示すように軸方向に設けられ、第２半綴環２４の付け根部分をそこに係入させることにより第２半綴環２４を、第１半綴環１４と係脱する際の回転方向及び軸方向の各偏倚を許容する閉鎖位置に規制する。他方、回転軸１２は、この回転軸の一方の端部位置に取り付けた単一のバネ手段３０により、前記第２半綴環２４を開成させる回転方向及び該第２半綴環を前記第１半綴環に接近させる軸方向に常偏倚される。
【００２０】
係止スロット２８に係脱する第２半綴環２４の付け根部分は、以下に説明するように指その他の手段を使用して第２半綴環を直接押し回して第１半綴環１４と係合させ、綴環を綴環リング状に閉成するに際し、第２半綴環２４が第１半綴環１４と係合するよりも前に係止スロット２８に係入し、また逆に第２半綴環２４を第１半綴環１４から脱係合させて綴環リングを開成させる際には、第２半綴環２４が第１半綴環１４から脱係合した後に係止スロット２８から外れるような形状とされ且つ位置決めされる。こうすることで、係止スロット２８は第２半綴環２４を閉鎖位置、即ち、第１半綴環１４と係合する直前あるいは第１半綴環１４から脱係合した直後の位置に規制するようになる。
【００２１】
回転軸１２は、内側軸受溝２２の内部で回転自在とされるのみならず軸方向に摺動自在とされ、一方の端部位置には単一のバネ手段３０、例えば螺旋バネが配置される。バネ手段３０は図４に示されるように、回転軸１２の端部をその内側部分に挿通させた状態で、一端部が回転軸１２に、他端部が細長基板１０に夫々係止され、回転軸１２を、第２半綴環２４を開成させる回転方向に常偏倚する捻りバネとして作用すると共に、第２半綴環２４を第１半綴環１４に接近及び係合させるように摺動させる軸方向において常偏倚する圧縮バネとしても作用する。
【００２２】
回転軸１２が軸方向に摺動自在であること及びバネ手段３０がこの軸方向での摺動のための常偏倚を提供することにより、第２半綴環２４と第１半綴環１４との係脱が容易化されるのみならず、特には第１及び第２の各半綴環１０及び２４が、何れの半綴環にも指で捻りを加えることなく係脱され得るようになる。この第２半綴環２４の前記係止スロット２８に相当する一部分は、図５〜図１２に示す本発明の他の実施例では第２半綴環２４の付け根部分の相当位置に一体形成した係入突起３８とすることができる。
【００２３】
従来、半綴環が本発明に於けるように回転軸の軸方向、あるいは水平方向に移動しない構成のものでは、半綴環どうしを係脱させる場合にはこれら半綴環どうしの係合が外れるまで、指である程度の捻り力を加えて撓ませるあるいは変形させる必要があるが、その際に半綴環に過剰の捻り力が加えられることがあり、半綴環が早期に塑性変形を生じて充分な係合力が失われることがあったが、この問題は本発明の上述したような構成により解決される他、従来の捻り式のものでは綴環の端部をそのように変形させるために妥協せざるを得なかった半綴環の剛性を上げることが可能となり、そうした高剛性の材料製とすることで、部材の対衝撃性等の特性を一段と向上させることも可能ともなる。
【００２４】
本発明のルースリーフ綴具の第１半綴環１４及び第２半綴環２４は、各先端部位置に、鈎状の突起と、この突起を係脱自在の凹部とよりなる、従来品と同様の相互係合手段３２、３４を有している。本発明ではこれらの相互係合手段３２、３４は、上述した如く従来のように捻るのではなく、単に第２半綴環２４を押し回して回転軸１２を軸方向及び回転方向に移動させるだけで自在に係脱させることができる。以下に、図面を参照して本発明における第１半綴環１４及び第２半綴環２４を係脱させる際の動作状況を詳しく説明する。
【００２５】
図１及び図２では回転軸１２の一端に取り付けたバネ手段３０が回転軸１２を矢印Ｂ方向に偏倚し、第２半綴環の付け根部分の一部が、細長基板１０の側部開口２０に形成した係止スロット２８に係入して第２半綴環２４の閉鎖位置を規制すると共に、第２半綴環２４が開成しないように拘束しており、第１半綴環１４及び第２半綴環２４は相互に係合して閉じた綴環リングを形成している。この閉じた綴環リングを開成させる場合、先ず、第２半綴環２４の何れかあるいは両方の一部を、指あるいはその他の任意の手段を使用して図１及び２の矢印Ｂと反対方向に向けてバネ手段３０の圧縮バネ力に抗して単に押す。このとき、回転軸１２が軸方向に移動し、第２半綴環２４の先端部の、鈎状の突起及び凹部の一方であるところの相互係合手段３２が、第１半綴環１４の、鈎状の突起及び凹部の他方の相互係合手段３４から軸方向に離間し、結局、何らの捻れを生ずることなく両者は脱係合する。
【００２６】
このように第１及び第２半綴環の相互係合手段３２及び３４が外れても、第２綴環２４は前述の如く係止スロット２８により閉鎖位置に尚規制されており、従って第２半綴環２４が完全に開成することが無い。従って、第２半綴環２４が偶然、あるいは不用意に軸方向に押されるなどしただけでは綴環リングが大きく開成するようなことは無く、これにより綴じ込んだリーフが不用意に脱落するなどの事態は未然に防止される。綴環リングは、相互係合手段３２及び３４を脱係合させた状態で第２半綴環２４を指その他の任意の手段により軸方向に更に押し、第２半綴環２４の一部を係止スロット２８から脱係合させると、バネ手段３０の捻れ力により回転軸１２が図１の矢印Ｃで示す回転方向に回転し、かくして第２半綴環２４は完全に開成される。
【００２７】
図３に示す開成状態では、第２半綴環２４は、この第２半綴環２４の一部を受ける係止スロット２８から完全に脱係合し且つバネ手段３０の圧縮バネ力により側部開口２０の外壁部分３６に押し付けられている。このように、第２半綴環２４は実質的には２段動作的に開放される構造であるが、指その他の手段による押し回し操作は通常は連続的に行われることから、特にそうした２段操作が必要でなければワンタッチで開放されることになる。
【００２８】
次ぎに、このようにして開成させた綴具にリーフを綴じ込むあるいは取り外す作業が終了した後、第２半綴環２４を第１半綴環１４に再係合させる場合は、第２半綴環２４を前記回転方向Ｃとは逆の方向に、バネ手段３０の捻り力に抗して回転させるのみで良い。この時、第２半綴環２４の付け根部分の一部は係止スロット２８の前記外壁部分３６に沿って移動して再度係止スロット２８に入るが、これにより第２半綴環２４は前述したように閉鎖位置に規制される状態となり、この位置で指を離しても完全な開成状態に戻ることがない。次いで第２半綴環２４を更に押し回すと、この第２半綴環２４の相互係合手段３２が第１半綴環１４の相互係合手段３４と、従来製品のように撓むのではなく、係合に必要な分だけ軸方向に移動することにより係合して綴環が閉じ、かくして綴環リングが形成される。このように、本発明のルースリーフ綴具では綴環を捻る操作が全て不要化されることから、従来の同等製品よりも剛性の高いプラスチック材料を使用して作製することができ、更には金属製とすることも可能である。一方、本発明のルースリーフ綴具は従来品と同様に、細長基板１０の取り付け穴４０に通した取付け手段を介してバインダに容易に取り付けることができる。
【００２９】
図５から図７に示す本発明の他の実施例では、係止スロット２８に係脱する第２半綴環２４の一部が、この第２半綴環２４に一体形成した係入突起３８とされている。この係入突起３８は、やはり指その他の手段を使用して第２半綴環を直接押し回して第１半綴環１４と係合させて綴環を綴環リング状に閉成するに際し、第２半綴環２４が第１半綴環１４と係合するよりも前に係止スロット２８に係入し、また逆に第２半綴環２４を第１半綴環１４から脱係合させて綴環リングを開成させる際には、第２半綴環２４が第１半綴環１４から脱係合した後に係止スロット２８から外れるような形状とされ且つ位置決めされる。こうすることで、係止スロット２８は第２半綴環２４を前記実施例と同様に閉鎖位置、即ち、第１半綴環１４と係合する直前あるいは第１半綴環１４から脱係合した直後の位置に規制するようになる。
【００３０】
以上説明したように、本発明によると開閉に際して第１半綴環１４及び第２半綴環２４の何れにも捻り力が加えられることが無く且つその必要が無く、従って、従来品よりも剛性を高くした材料製とすることができ、しかも半綴環を指その他手段により直接的に操作するワンタッチ開閉式のものであることから、バインダ取付けに際しての配置の自由度の高い、また、単一のバネ部材を用いて回転軸及び半綴環を回転方向及び軸方向に移動させる構成としたことにより構造が簡易であり、従って、生産性並びに製造コスト等の点で有益性の高いルースリーフ綴具が提供される。
【００３１】
以上、本発明を実施例を参照して説明したが、本発明の内で種々の変更をなし得ることを理解されたい。例えば、図８に示す更に他の実施例のように、細長基板１０の内側軸受溝を分割して図示の如く第１内側軸受溝２２０と第２軸内側受溝２２２とし、夫々の内側軸受溝に第１回転軸１２０及び第２回転軸１２２を配置し、これら各回転軸の、細長基板１０の長手方向縁部に近接する各一端部側には、バネ手段３０と同様の第１バネ手段３００及び第２バネ手段３０２を取付けることができる。この実施例の場合、第１半綴環１４及び第２半綴環２４は、各回転軸１２０及び１２２を相互に同一回転方向に廻転し且つ逆方向に摺動させることにより開閉することになるため、開閉には少なくとも２本の指その他任意の手段を用いることになるが、先の他の実施例のようにやはりワンタッチで開閉動作させることが出来る。他方、この実施例の場合は第１及び第２の各半綴環１４及び２４を長手方向に互いに逆方向に移動するようにしたことで、誤操作あるいは偶発的な外力による等して綴環リングが不用意に開閉する恐れは一段と少なくなる。
【図面の簡単な説明】
【００３２】
【図１】本発明の実施例における２対の半綴環が閉鎖して綴環を形成した状態のルースリーフ綴具の平面図である。
【図２】図１の実施例をＡ方向から見た側面図である。
【図３】図１のルースリーフ綴具の、２対の半綴環が開成した状態でのルースリーフ綴具の平面図である。
【図４】同底面図である。
【図５】他の実施例の図１と同様の平面図である。
【図６】同、線Ａ−Ａに沿った断面図である。
【図７】図５の、２対の半綴環が閉成した状態での平面図である。
【図８】回転軸を分割した実施例の底面図である。
【符号の説明】
【００３３】
１０  細長基板
１２  回転軸
１４  第１半綴環
１６  隆起部
１８  底部開口
２０  側部開口
２２  内側軸受溝
２４  第２半綴環
２６  張り出し部
２８  係止スロット
３０  バネ手段
３２、３４  相互係合手段
３６  外壁部分
３８  係入突起
１２０  第１回転軸
１２２  第２回転軸
２２０  第１内側軸受溝
２２２  第２内側軸受溝
３００  第１バネ手段
３０２  第２バネ手段
【図１】
2006044048.tif 000003
【図２】
2006044048.tif 000004
【図３】
2006044048.tif 000005
【図４】
2006044048.tif 000006
【図５】
2006044048.tif 000007
【図６】
2006044048.tif 000008
【図７】
2006044048.tif 000009
【図８】
2006044048.tif 000010